(57)【要約】      （修正有）【課題】ゴルフクラブのスイング時において、軸足の踵部分の浮き上がりを防ぎ、体の軸のずれを防止して、効率的なスイング練習を可能とすると共に、体格、及びゴルフクラブの種類によって軸足位置を移動させる必要がある場合であっても、軸足位置に応じて簡易に軸足拘束部の位置を調整しうるゴルフ練習用軸足固定器具を提供する。【解決手段】ゴルフのスイング練習時に軸足３２を固定するためのゴルフ練習用軸足固定器具であって、軸足を載置するマット部１１と、上記マット部上に配設され、足首を拘束しうる軸足拘束部１２と、上記軸足拘束部の配設位置を調整しうる、軸足拘束部位置調整構造１３を備えた構成とする。【選択図】図１
0003165349.tif 000002
【実用新案登録請求の範囲】
【請求項１】
ゴルフのスイング練習時に軸足を固定するためのゴルフ練習用軸足固定器具であって、
軸足を載置するマット部と、
上記マット部上に配設され、足首を拘束しうる軸足拘束部と、
上記軸足拘束部の配設位置を調整しうる、軸足拘束部位置調整構造を備えることを特徴とするゴルフ練習用軸足固定器具。
【請求項２】
上記マット部は、横長長方形に形成され、上記軸足拘束部位調整構造は、上記マット部の長さ方向に沿って配置され、
上記軸足拘束部が上記マット部の長さ方向に沿って移動可能に接続された第一のレール部と、
上記マット部の長さ方向両端部において、幅方向に沿って対向して配置され、上記第一のレール部が、上記マット部の幅方向に沿って移動可能となるように接続された、一対の第二レール部とから形成され、
上記軸足拘束部を、上記第一レール部に沿って移動させることによって、上記マット部の長さ方向に沿って移動しうると共に、上記第二レール部に沿って、上記第一レール部を移動させることによって、上記第一レール部の位置に対応して、上記マット部の幅方向に沿って移動しうることを特徴とする請求項１記載のゴルフ練習用軸足固定器具。
【請求項３】
上記第一のレール部には、上記第一のレール部上において、上記軸足拘束部の位置を固定しうる、第一のストッパ構造が設けられると共に、
上記第二のレール部には、上記第二のレール部上において、上記第一のレール部の位置を固定しうる、第二のストッパ構造が設けられていることを特徴とする請求項３記載のゴルフ練習用軸足固定器具。
【請求項４】
上記軸足拘束部は、一端部が、上記第一のレール部に移動可能に嵌合にされた一対のベルトから形成され、
一方のベルトの他端部には係合受け部が配設されると共に、他方のベルトの他端部には、上記係合受け部に着脱可能に係合しうる係合部が配設され、
上記係合受け部と上記係合部とを足首の前側で係合させることにより、上記一対のベルトで足首が拘束されることを特徴とする請求項１記載のゴルフ練習用足固定器具。
【請求項５】
上記一対のベルトの少なくとも一方には、ベルトの長さを調整しうる長さ調整部が配設されていることを特徴とする請求項４記載のゴルフ練習用足固定器具。
【考案の詳細な説明】
【技術分野】
【０００１】
本考案は、ゴルフのスイング練習時に軸足を固定するためのゴルフ練習用軸足固定器具に関する。
【背景技術】
【０００２】
ゴルフクラブのスイングを行う場合は、バックスイング、トップスイング、ダウンスイング、インパクト、スイングフィニッシュに至るまでの間、体の軸が動かないように固定されていることが理想である。
スイング途中において、体の軸がぶれてしまうことによって、スイング軌道にブレが生じ、フックショット、スライスショット等のミスショットの発生要因となり、またボールの飛距離も十分に確保できない。
【０００３】
スイング途中において、体の軸のブレが発生する、主要な要因の一つには、スイング中に軸足が地面から浮き上がり、軸足位置がずれてしまうことにある。
従って、良好なスイング動作を行う為には、スイング前に、軸足を、ボール位置、クラブの種類等に応じて、最適な位置に配置すると共に、スイング動作時においては、軸足の親指等に力を入れ、強く踏ん張る必要がある。
しかしながら、一連のスイング動作においては、上記軸足位置のずれの他、スイングフォーム、ボールに対する目線の固定等、留意すべき事項が他にも数多くあることから、ゴルフ初心者の場合には、スイング動作時において、軸足位置に対する注意が緩慢となり、結果的に軸足が浮き上がり、体の軸がずれ、失敗ショットを招き易かった。
【０００４】
ゴルフクラブのスイング時に、軸足位置がずれないようにするための練習道具として、軸足の甲部を固定しうる、固定手段を有するゴルフ練習用軸足固定器具が提案されている（特許文献１、特許文献２）。
【０００５】
図４は、特許文献１に係るゴルフ練習用軸足固定器具７０の構成を示している。図４に示すように、上記ゴルフ練習用軸足固定器具７０は、軸足（図４には図示せず）を載置しうる長方形のマット部７１と、上記マット部７１において軸足を載置する位置に配設され、軸足の甲部を拘束しうる軸足拘束部７２とを備えている。
上記軸足拘束部７２は、一端部７３ａ、７４ａが上記マット部７１に固定された２本のベルト７３、７４から形成され、上記ベルト７３、７４の他端部７３ｂ、７４ｂを紐部材７６で接合してアーチ状の軸足挿入部７５を形成し、軸足の甲部を上記軸足挿入部７５に挿入することによって、軸足の甲部を拘束するように形成されている。
上記軸足挿入部７５の大きさは、上記紐部材７６の締め付け具合を調整することによって、適宜調整できる。
【０００６】
また、図５は特許文献２に係るゴルフ練習用軸足固定器具８０の構成を示す（ａ）は斜視図、（ｂ）は軸足拘束部の具体的形態を示す斜視図である。
図５（ａ）に示すように、特許文献２に係るゴルフ練習用軸足固定器具８０は、軸足８６を載置しうる長方形のマット部８１と、上記マット部８１において軸足８６を載置する位置に配設され、軸足８６の甲部８６ａを拘束しうる軸足拘束部８２とを備えている。
上記軸足拘束部８２は、上記マット部８１の嵌合凹部８８ａに着脱可能に嵌合しうる補助マット部８１ａ上に配設され、一端部８３ａ、８４ａが上記補助マット部８１ａに固定された２本のベルト８３、８４から形成され、上記ベルト８３、８４の他端部８３ｂ、８４ｂを紐部材で接合してアーチ状の軸足挿入部８５を形成し、軸足８６の甲部８６ａを上記軸足挿入部８５に挿入することによって、軸足８６の甲部８６ａを拘束する。
また、軸足でない足８７を載置する位置においても、上記マット部８１の嵌合凹部８８ｂに着脱可能に嵌合しうる、補助マット部８１ａと同一形状の補助マット部８１ｂが配設され、上記補助マット部８１ａと補助マット部８１ｂの位置を入れ替えることによって、右利き者、左利き者いずれのスイングにも対応できるように構成されている。
また、図５（ｂ）に示すように、上記軸足拘束部８２は、一方のベルト８３に複数のベルト穴８９、８９、８９を設けると共に、他方のベルト８４の他端部に、上記ベルト穴８９に挿入しうる留め金９０が配設され、軸足挿入部８５の径寸法を調整可能に形成されている。
【０００７】
上記特許文献１及び特許文献２に係るゴルフ練習用軸足固定器具によれば、軸足の位置のずれを、一定の範囲で防止することが可能である。
しかしながら、いずれも軸足の甲部のみを拘束することから、スイング時において、軸足の踵部分が浮き上がることを防止することができなかった。
従って、スイング時に軸足の踵部分が左右にずれてしまう事象を防ぐことができず、体の軸のずれを完全に防止できないため、効率的な練習とならないという不具合を有していた。
【０００８】
また、軸足の最適な載置位置は、練習者の体格、ゴルフクラブの種類によってスイング時のスタンスは異なるため、適宜、調整する必要があるが、上記特許文献１に係るゴルフ練習用軸足固定器具においては、マット部上において、軸足拘束部の位置が固定されていることから、立ち位置を変更する場合には、上記マット部自体を動かして、軸足拘束部が最適位置となるように調整する必要があるという不具合を有していた。
また、特許文献２に係るゴルフ練習用軸足固定器具の場合は、右利き、左利き合わせて、軸足拘束部の位置を変更できるが、補助マットを入れ替える必要があるため、作業が煩雑であると共に、クラブ種類等に応じた微細な軸足位置の調整には対応することができなかった。
【特許文献１】特開２００３−５２８８２号公報
【特許文献２】実登３０８８３０１号公報
【考案の開示】
【考案が解決しようとする課題】
【０００９】
本考案の課題は、ゴルフクラブのスイング時において、軸足の踵部分の浮き上がりを防ぎ、体の軸のずれを防止して、効率的なスイング練習を可能とすると共に、体格、及びゴルフクラブの種類によって軸足位置を移動させる必要がある場合であっても、軸足位置に応じて簡易に軸足拘束部の位置を調整しうるゴルフ練習用軸足固定器具を提供することにある。
【課題を解決するための手段】
【００１０】
上記課題を解決するため、請求項１に記載した考案に係るゴルフ練習用軸足固定器具は、軸足を載置するマット部と、上記マット部上に配設され、足首を拘束しうる軸足拘束部と、上記軸足拘束部の配設位置を調整しうる、軸足拘束部位置調整構造を備えることを特徴とする。
従って、右利き、左利きの違いによる軸足の違い、練習者の体格、ゴルフクラブの種類によって、軸足の載置位置が変更となった場合には、上記軸足拘束部位置調整構造によって、最適な位置に軸足拘束部を移動する。
【００１１】
また、請求項２に記載した考案に係るゴルフ練習用軸足固定器具は、上記マット部は、横長長方形に形成され、上記軸足拘束部位調整構造は、上記マット部の長さ方向に沿って配置され、上記軸足拘束部が上記マット部の長さ方向に沿って移動可能に接続された第一のレール部と、上記マット部の長さ方向両端部において、幅方向に沿って対向して配置され、上記第一のレール部が、上記マット部の幅方向に沿って移動可能となるように接続された、一対の第二レール部とから形成され、上記軸足拘束部を、上記第一レール部に沿って移動させることによって、上記マット部の長さ方向に沿って移動しうると共に、上記第二レール部に沿って、上記第一レール部を移動させることによって、上記第一レール部の位置に対応して、上記マット部の幅方向に沿って移動しうることを特徴とする。
従って、右利き、左利きの違いにより軸足が変更となった場合には、軸足拘束部を上記第一のレール部に沿って移動し、ゴルフクラブの種類によって、スタンスの前後位置を調整する場合には、上記第一のレール部を第二のレールに沿って移動することによって軸足拘束部を任意の場所に移動させることができる。
【００１２】
また、請求項３に記載した考案に係るゴルフ練習用軸足固定器具は、上記第一のレール部には、上記第一のレール部上において、上記軸足拘束部の位置を固定しうる、第一のストッパ構造が設けられると共に、上記第二のレール部には、上記第二のレール部上において、上記第一のレール部の位置を固定しうる、第二のストッパ構造が設けられていることを特徴とする
従って、上記ストッパ構造によって、スイング動作時においても、上記軸足拘束部の配置位置を確実に保持する。
【００１３】
また、請求項４に記載した考案に係るゴルフ練習用軸足固定器具は、上記軸足拘束部は、一端部が、上記第一のレール部に移動可能に嵌合にされた一対のベルトから形成され、一方のベルトの他端部には係合受け部が配設されると共に、他方のベルトの他端部には、上記係合受け部に着脱可能に係合しうる係合部が配設され、上記係合受け部と上記係合部とを足首の前側で係合させることにより、上記一対のベルトで足首が拘束されることを特徴とする。
従って、上記係合受け部と上記係合部との係合させることによって軸足の足首が拘束され、係合を解除することによって、記軸足拘束部の拘束を解除することができる。
【００１４】
また、請求項５に記載した考案に係るゴルフ練習用軸足固定器具は、上記一対のベルトの少なくとも一方には、ベルトの長さを調整しうる長さ調整部が配設されていることを特徴とする。
従って、軸足の太さ等、個人の体型に応じて、軸足拘束部の拘束力を調整する。
【考案の効果】
【００１５】
請求項１の考案にあっては、軸足を載置するマット部と、上記マット部上に配設され、足首を拘束しうる軸足拘束部と、上記軸足拘束部の配設位置を調整しうる、軸足拘束部位置調整構造を備えることから、右利き、左利きの違いによる軸足の違い、練習者の体格、ゴルフクラブの種類によって、軸足の載置位置が変更となった場合には、上記軸足拘束部位置調整構造によって、最適な位置に軸足拘束部を移動することが可能である。
従って、ゴルフクラブのスイング時において、軸足の踵部分の浮き上がりを防ぎ、体の軸のずれを防止して、効率的なスイング練習を可能とすると共に、体格、及びゴルフクラブの種類によって軸足位置を移動させる必要がある場合であっても、軸足位置に応じて簡易に軸足拘束部の位置を調整しうるゴルフ練習用軸足固定器具を提供することができる。
【００１６】
また、請求項２の考案にあっては、上記マット部は、横長長方形に形成され、上記軸足拘束部位調整構造は、上記マット部の長さ方向に沿って配置され、上記軸足拘束部が上記マット部の長さ方向に沿って移動可能に接続された第一のレール部と、上記マット部の長さ方向両端部において、幅方向に沿って対向して配置され、上記第一のレール部が、上記マット部の幅方向に沿って移動可能となるように接続された、一対の第二レール部とから形成され、上記軸足拘束部を、上記第一レール部に沿って移動させることによって、上記マット部の長さ方向に沿って移動しうると共に、上記第二レール部に沿って、上記第一レール部を移動させることによって、上記第一レール部の位置に対応して、上記マット部の幅方向に沿って移動しうることから、上記第一のレール若しくは第二のレールに沿って、上記軸足拘束部を移動させることによって、マット部の任意の位置に上記軸足拘束部を速やかに配置させることができる。
【００１７】
また、請求項３の考案にあっては、上記第一のレール部には、上記第一のレール部上において、上記軸足拘束部の位置を固定しうる、第一のストッパ構造が設けられると共に、上記第二のレール部には、上記第二のレール部上において、上記第一のレール部の位置を固定しうる、第二のストッパ構造が設けられていることから、スイング時において、上記軸足拘束部に力が加わった場合であっても、上記軸足拘束部の配置位置が確実に保持される。
【００１８】
また、請求項４の考案にあっては、上記軸足拘束部は、一端部が、上記第一のレール部に移動可能に嵌合にされた一対のベルトから形成され、一方のベルトの他端部には係合受け部が配設されると共に、他方のベルトの他端部には、上記係合受け部に着脱可能に係合しうる係合部が配設され、上記係合受け部と上記係合部とを足首の前側で係合させることにより、上記一対のベルトで足首が拘束されることから、上記軸足拘束部の着脱操作を容易に行うことができる。
【００１９】
また、請求項５の考案にあっては、上記一対のベルトの少なくとも一方には、ベルトの長さを調整しうる長さ調整部が配設されていることから、軸足拘束部の拘束力を、使用者の体型等に合わせて簡易に調整することができる。
【図面の簡単な説明】
【００２０】
【図１】本考案に係るゴルフ練習用軸足固定器具の一実施の形態を示し、実施例の形態におけるゴルフ練習用軸足固定器具の全体斜視図である。
【図２】本実施例の形態に係るゴルフ練習用軸足固定器具における（ａ）は図１のＡ−Ａ線における厚さ方向断面図、（ｂ）は図１のＢ−Ｂ線における厚さ方向断面図である。
【図３】本実施例に係るゴルフ練習用軸足固定器具の軸足拘束部の構成を示す一部拡大斜視図である。
【図４】従来のゴルフ練習用軸足固定器具の構成を示す全体斜視図である。
【図５】別の従来のゴルフ練習用軸足固定器具の構成を示す（ａ）は全体斜視図、（ｂ）は軸足拘束部の構造を示す拡大斜視図である。
【考案を実施するための最良の形態】
【００２１】
以下、本考案の実施の形態を、図面を用いて説明する。  
図１に示すように、本実施の形態に係るゴルフ練習用軸足固定器具１０は、軸足３２を載置するマット部１１と、上記マット部１１上に配設され、足首３３を拘束しうる軸足拘束部１２と、上記軸足拘束部１２の配設位置を調整しうる、軸足拘束部位置調整構造１３とを備えている。
また、上記マット部１１は、横長長方形に形成され、上記軸足拘束部位調整構造１３は、上記マット部１１の長さ方向に沿って配置され、上記軸足拘束部１２が、上記マット部１１の長さ方向に沿って移動可能に接続された第一のレール部１４と、上記マット部１１の長さ方向両端部において、幅方向に沿って対向して配置され、上記第一のレール部１４が、上記マット部１１の幅方向に沿って移動可能となるように接続された、一対の第二レール部１５、１５とから形成されている。
また、上記第一のレール部１４には、上記第一のレール部１４上において、上記軸足拘束部１２の位置を固定しうる、第一のストッパ構造１６が設けられると共に、上記第二のレール部１５、１５は、上記第二のレール部１５、１５上において、上記第一のレール部１４の位置を固定しうる、第二のストッパ構造１７、１７が設けられている。
また、上記軸足拘束部１２は、一端部１８ａ、１９ａが、上記第一のレール部１４に移動可能に嵌合にされた一対のベルト１８、１９から形成され、一方のベルト１８の他端部１８ｂには係合受け部２０が配設されると共に、他方のベルト１９の他端部１９ｂには、上記係合受け部２０に着脱可能に係合しうる係合部２１が配設されている。
また、上記ベルト１８には、ベルトの長さを調整しうる長さ調整部２２が配設されている
【実施例１】
【００２２】
上記形態の本実施例の構成について以下図面を用いて詳述する。
図１に示すように、マット部１１は、可撓性を有するゴム素材からなり、全体長方形板状に形成されている。
上記マット部１１の上面部１１ａには、実際のゴルフコースのティーインググラウンドに立った状態に近い感覚でスイング練習が行えるように、必要に応じて、人工芝が植設しても良い。
【００２３】
また、図１に示すように、上記マット部１１上に配設された第二のレール部１５、１５は、上記マット部１１の長さ方向両端部において、幅方向に沿って埋設して配置されている。
また、上記第一のレール部１４は、上記マット部１１の上方に配置されている。
【００２４】
また、図２（ａ）に示すように、第一のレール部１４と一対の第二のレール部１５、１５には、夫々、レールの長さ方向に沿って、断面逆Ｔ字形の凹溝１４ａ、１５ａ、１５ａが形成され、上記第一のレール部１４と第二のレール部１５は、上記第一のレール部の長さ方向両端部に配設され、上記第二のレール部１５、１５の凹溝１５ａ、１５ａにスライド可能に嵌合しうる下方部が断面逆Ｔ字形に形成されたスライド部２２、２２を介して接続されている。
また、上記ベルト１８、１９は、上記ベルト１８、１９の一端部に配設され、上記第一のレール部１４の凹溝１４ａにスライド可能に嵌合しうる、下方部が逆Ｔ字形に形成されたスライド部２４、２４を介してスライド可能に接続されている。
【００２５】
また、図２（ｂ）に示すように、上記第一のレール部１４設けられた、第一のストッパ構造１６は、上記第一のレール１４の凹溝１４ａの両側に上記凹溝１４ａに沿って、所定間隔寸法毎に設けられた複数のストッパ孔部２５と、上記凹溝１４ａを挟んで対向する位置に配置された一対のストッパ孔部２５、２５に嵌合する嵌合突起部２６、２６を有し、上記第一のレール部１４に沿って、上記スライド部２４の両側に配置される一対のストッパ本体部２７、２７とから形成されている。
【００２６】
また、図１に示すように、上記第二のレール部１５設けられた、第二のストッパ構造１７は、上記第二のレール１５の凹溝１５ａの両側に上記凹溝１５ａに沿って、所定間隔寸法毎に設けられた複数のストッパ本体部２８と、上記凹溝１５ａを挟んで対向する位置に配置された一対のストッパ本体部２８、２７に嵌合する嵌合突起部２９、２９を有し、上記第二のレール部１５に沿って、上記スライド部２２の両側に配置される一対のストッパ本体部３０、３０とから形成されている。
【００２７】
また、図３に示すように、ベルト１８に配設された長さ調整部２２は、本実施例にあっては、上記ベルト１８を他端部１８ｂで所定の長さ折り返し、折り返し片１８ｃを固定するコキと称される留め金具３１を用いた形態としているが、図５（ｂ）に示すように、ベルト穴と、留め金でもちいる構成する方法等を適宜選択することができる。
【００２８】
本実施例の作用について添付図面を用いて説明する。
図１に示すように、マット部１１は地面に載置すると共に、上記マット部１１の前方にはゴルフボール（図１中には図示せず）をセットする。
使用するゴルフクラブ（図１中には示せず）を選択し、上記ゴルフボールの配置位置に合わせて、軸足３２の配置位置を決定する。
上記軸足３２の配置位置によって、ベルト１８、１９を第一のレール部１４に沿って移動させて上記マット部１１上における長さ方向位置（身体の左右方向）を決定すると共に、更に上記第一のレール部１４を第二のレール部１５、１５に沿って移動させて、上記マット部１１上における幅方向位置（身体の前後方向）を決定する。
上記操作でベルト１８、１９の配置位置が決定した後、上記ベルト１８、１９のスライド部２４、２４の両端において、上記第一のレール部１４上のストッパ孔部２５にストッパ本体部２７の嵌合突起部２６を嵌合させて、ベルト１８、１９を上記第一のレール部１４上の所定位置において固定し、更に、上記第二のレール部１５上のストッパ本体部２８にストッパ本体部３０の嵌合突起部２９を嵌合させて、上記第一のレール部１４を上記第二のレール部１５上の所定位置において固定する。
更に、図３に示すように、上記ベルト１８、１９を軸足３２の足首３３に巻き回し、足首３３の前方で上記係合受け部２０に係合部２１を挿入して係合させ、足首３３をベルト１８、１９で拘束する。
【００２９】
本実施例の構成によれば、軸足拘束部１２の位置を、上記第一のレール部１４、第二のレール部１５、１５に沿って移動させることによって、極めて迅速且つ容易に調整することが可能である。
また、足首３３を拘束するため、スイング時に足の踵部分が浮き上がり難く、従来のゴルフ練習用足固定器具と比較して、より体の軸がずれ難くなり、効率的なスイング練習が可能となる。
【００３０】
なお、本実施例に示した軸足拘束部の構成、軸足拘束部位置調整構造の構成は一例であり、本考案は、軸足の足首部分が拘束可能な軸足拘束部を有し、且つその軸足拘束部を移動させる軸足拘束部位置調整構造を有する構成であれば、構成部品の形状等は適宜変更することができる。
例えば、軸足拘束部を、ベルトの替わりに、軸足の足首に外側から嵌合しうる形状に形成された合成樹脂部品を、第一のレール部にスライド可能に嵌合させる形態とすることもできる。
また、ストッパ構造についても、ストッパ本体部のような個別部品として構成せずに、レール部に所定間隔でスライド部が係脱自在に係合しうる係合部を形成し、スライド部とレール部をと直接係合させることによって位置を固定する方法とすることもできる。
【産業上の利用可能性】
【００３１】
本考案はゴルフのスイング練習時に軸足を固定するためのゴルフ練習用軸足固定器具に適用することが可能である。
【符号の説明】
【００３２】
１０  ゴルフ練習用軸足固定器具
１１  マット部
１１ａマット部の上面部
１２  軸足拘束部
１３  軸足拘束部位置調整構造
１４  第一のレール部
１４ａ第一のレール部の凹溝
１５  第二のレール部
１５ａ第二のレール部の凹溝
１６  第一のストッパ構造
１７  第二のストッパ構造
１８  ベルト
１８ａベルトの一端部
１８ｂベルトの他端部
１８ｃベルトの折り返し片
１９  ベルト
１９ａベルトの一端部
１９ｂベルトの他端部
２０  係合受け部  
２１  係合部
２２  長さ調整部
２３  スライド部
２４  スライド部
２５  ストッパ孔部
２６  嵌合突起部
２７  ストッパ本体部
２８  ストッパ孔部
２９  嵌合突起部
３０  ストッパ本体部
３１  留め金具
３２  軸足
３３  足首
７０  ゴルフ練習用軸足固定器具
７１  マット部
７２  軸足拘束部
７３  ベルト
７３ａベルトの一端部
７３ｂベルトの他端部
７４  ベルト
７４ａベルトの一端部
７４ｂベルトの他端部
７５  軸足挿入部
７６  紐部材
８０  ゴルフ練習用軸足固定器具
８１  マット部
８１ａ補助マット部
８１ｂ補助マット部
８２  軸足拘束部
８３  ベルト
８３ａベルトの一端部
８３ｂベルトの他端部
８４  ベルト
８４ａベルトの一端部
８４ｂベルトの他端部
８５  軸足挿入部
８６  軸足
８６ａ軸足の甲部
８７  軸足で無い足
８８ａ嵌合凹部
８８ｂ嵌合凹部
８９  ベルト穴
９０  留め金
【図１】
0003165349.tif 000003
【図２】
0003165349.tif 000004
【図３】
0003165349.tif 000005
【図４】
0003165349.tif 000006
【図５】
0003165349.tif 000007